(57)【要約】【課題】足底部内面の指先部位に、強い刺激を与えないように、多数の小突起を形成して、脳下垂体や副鼻腔や眼や耳の疾患に効果のある壷に、心地よい刺激を与えるようにした健康促進用ソックスの提供を課題とする。【解決手段】足底部内面２の指先部位３と踵部位４に多数の小突起５…５を形成し、該小突起５…５が１ｍｍ直径以下の半球状からなる健康促進用ソックス１を構成するものである。【選択図】図１
0003105277.tif 000002
【実用新案登録請求の範囲】
【請求項１】
足底部内面の指先部位と踵部位に多数の小突起を形成し、該小突起が１ｍｍ直径以下の半球状からなることを特徴とした健康促進用ソックス。
【請求項２】
足底部内面に形成した小突起が、半球状からなり、幅方向に１４〜１５個形成し、前記指先部位と踵部位とを同色とし、その他の足底部は前記指先部位と踵部位と異色に配色したことを特徴とした請求項１記載の健康促進用ソックス。
【請求項３】
足底部内面に形成した小突起が、セラミック入り軟質合成樹脂からなることを特徴とした請求項１又は請求項２記載の健康促進用ソックス。
【考案の詳細な説明】
【技術分野】
【０００１】
本考案は、健康促進用ソックスに係り、更に詳しくは、ソックスの足底内面に突起を形成させ、足の裏を刺激することによって、健康の促進をはかるようにしたソックスに関するものである。
【背景技術】
【０００２】
足は、体を支え移動する運動器官の一つなので、疲労が蓄積しやすい。しかも足には、血管や神経が多数伸びているが、特に足底には、毛髪や皮脂線がなく厚い角質層で覆われている。従って古くから、日本では竹踏みや突起付きサンダルが流行し、また中国を始めとする各国では、足裏マッサージによって、厚い角質層を刺激し、血行を促進させる健康治療が普及している。
【０００３】
そのため足の裏は、第二の心臓といわれる程、多くの壷が存在している。この壷を突起によって刺激することは、対応する内臓の働きを活発にさせるとともに、足の裏の血行を促進させることにもなって、健康に寄与するものである。そして従来は、胃に効果のある土踏まずの部位等を、比較的大きな突起で刺激することが主体になっている。
【０００４】
しかし、指先の部位にも、親指に脳下垂体を刺激する効果があり、また残る四指も副鼻腔や眼や耳の疾患に効果のある壷が存在している。しかしながら、指先の部位を、従来と同じ大きさの比較的大きな突起で刺激すると刺激が強すぎるために、履きずらくなるので、指先の部位に突起を付設することは従来放置されてきた。
【０００５】
足底内面に突起を形成させたソックスの中で、指先の部位にも突起を付設した先行技術としては、実用新案文献がある。この文献１は、トルマリン等の改善機能性粉末を含むものである。また、実用新案文献２もある。
【特許文献１】実登第３０９６２６６号公報
【特許文献２】実登第３０９７８１３号公報
【０００６】
実用新案文献２は、広範囲な権利を主張した内容のものにはなっている。しかし、この広範囲な技術内容は、それ以前に出願された、実用新案文献３，実用新案文献４，実用新案文献５において、公知となっている。
【特許文献３】実開平２−３４０４号公報
【特許文献４】実開平２−３３２０３号公報
【特許文献５】実開平２−５３７５８号公報
【考案の開示】
【考案が解決しようとする課題】
【０００７】
上記の事情に鑑み、本考案が解決しようとする問題点は、足底部内面の指先部位に、強い刺激を与えないように、多数の小突起を形成して、脳下垂体や副鼻腔や眼や耳の疾患に効果のある壷に、心地よい刺激を与えるようにした健康促進用ソックスを提供することである。
【課題を解決するための手段】
【０００８】
本考案は、足底部内面の指先部位と踵部位に多数の小突起を形成し、該小突起が１ｍｍ直径以下の半球状からなる健康促進用ソックスを構成するものである。
【考案の効果】
【０００９】
本考案の健康促進用ソックスは、足底部内面の指先部位に付設した突起が、小さく数多く点在させるようにしたので、各壷に心地よい刺激を与えることができた。
【００１０】
本考案の健康促進用ソックスは、足底部内面の指先部位とともに、足底部内面の踵部位にも小突起を点在させると、バランスよく、履き心地のよいソックスとすることができた。
【考案を実施するための最良の形態】
【００１１】
以下、本考案の実施例を図面に基づいて詳しく説明する。
【実施例１】
【００１２】
図１は、本考案の健康促進用ソックスの裏返した一実施例を示す底面図である。  
【００１３】
本考案の健康促進用ソックス１は、足底部内面２の指先部位３と踵部位４に、多数の半球状からなる小突起５…５を形成させている。なお、本ソックス１の指先部位３と踵部位４は桧色で、その他は灰色の上品な配色からなっている。本実施例の突起５…５は、セラミックス入りの軟質合成樹脂製のものからなっている。
【００１４】
セラミックス入りの軟質合成樹脂は、例えば、酸化アルミニウム９５．０％、酸化チタン３．１％、酸化珪素１．１％からなるセラミック粉末２０％に塩化ビニール粉末８０％を混合し、１１０℃ないし１４０℃で加熱し、流動化した組成物をソックスの内面の爪先部位と踵部位に、孔あき型剤を介して付着させる。
【００１５】
また、この小突起は、１ｍｍ直径以下のごく小さい半球状からなっている。それは、通常の突起が、大きなものは５ｍｍ直径、普通サイズのものが４ｍｍ直径、小サイズのものでも３ｍｍ直径程度だからである。この小突起が、幅方向Ｗ１ に１４個乃至１５個、規則的に並設さして心地よい刺激を与えるようにしている。
【実施例２】
【００１６】
図２は、本考案の健康促進用ソックスの裏返した別の実施例を示す底面図である。
本考案の健康促進用ソックス１１は、足底部内面１２の指先部位１３と踵部位１４に、多数の半球状からなる小突起１５…１５を形成させている。なお、本ソックス１１の指先部位１３と踵部位１４は白色で、その他は灰色の霜降りの上品な配色からなっている。本実施例の突起１５…１５は、実施例１と同様にセラミックス入りの軟質合成樹脂製のものからなっている。
【００１７】
この小突起は、１ｍｍ直径以下のごく小さい半球状からなっている。それは、通常の突起が、大きなものは５ｍｍ直径、普通サイズのものが４ｍｍ直径、小サイズのものでも３ｍｍ直径程度だからである。この小突起が、幅方向Ｗ２ に１４個乃至１５個、規則的に並設させて心地よい刺激を与えるようにしている。
【実施例３】
【００１８】
図３は、本考案の健康促進用ソックスの裏返した更に別の実施例を示す底面図である。
本考案の健康促進用ソックス２１は、足底部内面２２の指先部位２３と踵部位２４に、多数の半球状からなる小突起２５…２５を形成させている。なお本ソックス２１の指先部位２３と踵部位２４は黒色で、その他は白黒色の霜降りの上品な配色からなっている。本実施例の突起２５…２５は、実施例１と同様にセラミックス入りの軟質合成樹脂製のものからなっている。
【００１９】
この小突起は、１ｍｍ直径以下のごく小さい半球状からなっている。それは、通常の突起が、大きなものは５ｍｍ直径、普通サイズのものが４ｍｍ直径、小サイズのものでも３ｍｍ直径程度だからである。この小突起が、幅方向Ｗ３ に１４個乃至１５個、規則的に並設させて心地よい刺激を与えるようにしている。
【産業上の利用可能性】
【００２０】
本考案の健康促進用ソックスは、健康に寄与するソックスとして広く利用でき、室内履きとしての用途にも用いることができるものである。
【図面の簡単な説明】
【００２１】
【図１】本考案の健康促進用ソックスの裏返した実施例１の底面図である。
【図２】本考案の健康促進用ソックスの裏返した実施例２の底面図である。
【図３】本考案の健康促進用ソックスの裏返した実施例３の底面図である。
【符号の説明】
【００２２】
１，１１，２１  本考案の健康促進用ソックス
２，１２，２２  ソックスの足底
３，１３，２３  ソックスの指先部位
４，１４，２４  ソックスの踵部位
５，１５，２５  小突起
Ｗ１，Ｗ２，Ｗ３   ソックスの幅方向
【図１】
0003105277.tif 000003
【図２】
0003105277.tif 000004
【図３】
0003105277.tif 000005